(57)【要約】【課題】傾斜屋根から効率的に集熱を行うことのできる集熱システムを提供する。【解決手段】傾斜屋根１０の上方に配置された複数の機能パネル２，２…と、軒棟方向Ｄ１に複数列の集熱風路３，３…と、傾斜屋根１０上に位置する吸入口４と、導入ダクト部５とを具備する。集熱風路３，３…は、傾斜屋根１０と機能パネル２，２…の間に形成される。導入ダクト部５は、傾斜屋根１０の上方に配置される。導入ダクト部５は、吸入口４に連通する導入路５０を有する。吸入口４を通じて、導入路５０の空気を棟側に移動させて吸引する。【選択図】図１
2016011565.tif 000002
【特許請求の範囲】
【請求項１】
建物が有する傾斜屋根の上方に配置された複数の機能パネルと、
前記傾斜屋根と前記複数の機能パネルとの間に形成された、軒棟方向に複数列の集熱風路と、
前記傾斜屋根上に位置する吸入口と、
前記傾斜屋根の上方に配置され、前記吸入口に連通する導入路を有する導入ダクト部と、を具備し、
前記複数列の集熱風路の各々が、前記建物の屋外空間に連通する第一端部と、前記導入路に連通する第二端部と、を有し、
前記吸入口を通じて、前記導入路の空気を棟側に移動させて吸引するように構成したことを特徴とする集熱システム。
【請求項２】
前記導入ダクト部は、天板をなす透光パネルと、前記透光パネルの下方に位置する集熱板と、を更に有し、
前記集熱板を介して、前記導入路内の空気の温度を上昇させるように構成したことを特徴とする請求項１に記載の集熱システム。
【請求項３】
前記導入ダクト部は、前記導入路と前記屋外空間との間に位置する断熱層を、更に有することを特徴とする請求項１又は２に記載の集熱システム。
【請求項４】
前記機能パネルは、太陽光発電パネルであることを特徴とする請求項１〜３のいずれか一項に記載の集熱システム。
【請求項５】
前記導入ダクト部は、左右方向に互いに距離をあけて位置する一対の導入ダクトを含み、
前記一対の導入ダクトは、それぞれが前記導入路を有し、
前記複数列の集熱風路は、前記一対の導入ダクトのうち一方の導入ダクトが有する前記導入路に連通する複数列の第一集熱風路と、前記一対の導入ダクトのうち他方の導入ダクトが有する前記導入路に連通する複数列の第二集熱風路と、を含み、
前記複数列の第一集熱風路と、前記複数列の第二集熱風路とは、前記一対の導入ダクトに挟まれて位置することを特徴とする請求項１〜４のいずれか一項に記載の集熱システム。
【請求項６】
前記導入路に連通する前記複数列の集熱風路は、前記導入路を挟んで左右方向の両側に位置することを特徴とする請求項１〜４のいずれか一項に記載の集熱システム。
【発明の詳細な説明】
【技術分野】
【０００１】
本発明は、集熱システムに関し、詳しくは、機能パネルを配した傾斜屋根から集熱するためのシステムに関する。
【背景技術】
【０００２】
特許文献１には、太陽電池モジュールと屋根面との間に空気流通層を介在させ、空気流通層で温めた空気を、屋根面に設けた開口部を通じて、建物内に引き込むように構成した集熱システムが開示されている。この集熱システムは、屋根面に多数の開口部を設けることによって、空気流通層から大量の熱を集めるように構成されている。
【先行技術文献】
【特許文献】
【０００３】
【特許文献１】特開２０１１−１７１３号公報
【発明の概要】
【発明が解決しようとする課題】
【０００４】
本発明は、傾斜屋根に多数の吸入口を設けずとも、効率的に集熱を行うことのできる集熱システムを提供することを、課題とする。
【課題を解決するための手段】
【０００５】
前記課題を解決するために、本発明を、下記構成を具備する集熱システムとする。
【０００６】
本発明は、集熱システムであって、建物が有する傾斜屋根の上方に配置された複数の機能パネルと、軒棟方向に複数列の集熱風路と、前記傾斜屋根上に位置する吸入口と、前記吸入口に連通する導入路を有する導入ダクト部と、を具備する。
【０００７】
前記集熱風路は、前記傾斜屋根と前記複数の機能パネルとの間に形成される。前記導入ダクトは、前記傾斜屋根の上方に配置される。
【０００８】
前記複数列の集熱風路の各々が、前記建物の屋外空間に連通する第一端部と、前記導入路に連通する第二端部と、を有する。本発明では、前記吸入口を通じて、前記導入路の空気を棟側に移動させて吸引するように構成している。
【発明の効果】
【０００９】
本発明は、傾斜屋根に多数の吸入口を設けずとも、効率的に集熱を行うことができるという効果を奏する。
【図面の簡単な説明】
【００１０】
【図１】本発明の第１実施形態の集熱システムを備えた建物全体を概略的に示す斜視図である。
【図２】本発明の第１実施形態の集熱システムの要部を概略的に示す平面図である。
【図３】図２のＡ−Ａ線断面図である。
【図４】図２のＢ−Ｂ線断面図である。
【図５】本発明の第２実施形態の集熱システムの要部を概略的に示す平面図である。
【図６】図５のＣ−Ｃ線断面図である。
【図７】本発明の第３実施形態の集熱システムを備えた建物全体を概略的に示す斜視図である。
【図８】本発明の第４実施形態の集熱システムを備えた建物全体を概略的に示す斜視図である。
【図９】本発明の第５実施形態の集熱システムを備えた傾斜屋根を概略的に示す斜視図である。
【図１０】本発明の第６実施形態の集熱システムを備えた傾斜屋根を概略的に示す斜視図である。
【発明を実施するための形態】
【００１１】
本発明を、添付図面に示す実施形態に基づいて説明する。
（第１実施形態）
本発明の第１実施形態の集熱システムについて、図１〜図４に基づいて説明する。
【００１２】
図１には、本実施形態の集熱システムを備えた建物１を、概略的に示している。図示の建物１は傾斜屋根１０を有する。傾斜屋根１０は片流れ屋根である。傾斜屋根１０上には、支持構造８（図２、図３参照）を用いて複数の機能パネル２，２…を取り付けている。
【００１３】
本文中において、傾斜屋根１０の傾斜方向が軒棟方向Ｄ１であり、平面視において軒棟方向Ｄ１と直交する方向が左右方向Ｄ２である。軒棟方向Ｄ１に沿って上側を「棟側」といい、軒棟方向Ｄ１に沿って下側を「軒側」という。
【００１４】
本実施形態の集熱システムでは、傾斜屋根１０の上方に、複数の機能パネル２，２…を配置している。
【００１５】
具体的には、傾斜屋根１０の上方において、左右方向Ｄ２に四枚の機能パネル２，２…を連ねることで、一列の機能パネル２，２…を形成している。このような機能パネル２，２…の列は、軒棟方向Ｄ１に五列設けている。即ち、一列目、二列目、三列目、四列目、五列目の機能パネル２，２…が、軒側から棟側へとこの順に並んでいる。
【００１６】
これら複数の機能パネル２，２…の左右方向Ｄ２の片側には、後述の導入ダクト部５を配置している。
【００１７】
本実施形態で用いる機能パネル２，２…は、太陽光発電パネルである。機能パネル２，２…として、太陽光温水生成パネル等の他のパネルを用いることも可能である。
【００１８】
図２、図３には、軒側から一列目と二列目の機能パネル２，２を示している。図３に示すように、支持構造８で支持される各機能パネル２と傾斜屋根１０との間には、空気層３０が形成される。空気層３０内の空気は、太陽光が照射されて高温となった機能パネル２によって、温められる。
【００１９】
各列の機能パネル２，２…において、左右方向Ｄ２に隣接する機能パネル２，２同士は、気密及び水密に連結される。これにより、左右方向Ｄ２に隣接する空気層３０，３０同士が、左右方向Ｄ２に連通する。
【００２０】
左右方向Ｄ２に連通する複数（本実施形態では四つ）の空気層３０，３０…が、一連の集熱風路３を形成する。本実施形態の集熱システムでは、軒棟方向Ｄ１に複数列（本実施形態では五列）の集熱風路３，３…が形成される。
【００２１】
各列の集熱風路３は、左右方向Ｄ２の一方の端縁に、建物１の屋外空間９に連通する第一端部３１を有する。第一端部３１は、屋外空間９に向けて開口し、該開口を通じて集熱風路３内に外気を導入する。
【００２２】
また、各列の集熱風路３は、導入ダクト部５に連通する第二端部３２を有する。第二端部３２は、左右方向Ｄ２において第一端部３１とは反対側に位置する。
【００２３】
導入ダクト部５は、傾斜屋根１０の上方に支持された導入ダクト５ａを備える。導入ダクト５ａは、軒棟方向Ｄ１に沿って空気を移動させるように構成された導入路５０を有する。導入路５０の経路方向（つまり導入路５０を通じて空気を移動させる方向）は、導入路５０に接続される集熱風路３の経路方向（つまり集熱風路３を通じて空気を移動させる方向）に対して、直交又は略直交する。
【００２４】
図４に示すように、導入ダクト５ａは、導入路５０に加えて、天板をなす透光パネル５１と、透光パネル５１の下方に位置する黒色の集熱板５２とを有する。透光パネル５１と集熱板５２の間には、断熱層５３が位置する。断熱層５３は、透光パネル５１と集熱板５２との間に形成された空気層である。
【００２５】
透光パネル５１は、透光性のガラスや樹脂で形成される。集熱板５２は、透光パネル５１と断熱層５３を通過した太陽光線を熱エネルギーに変換する。
【００２６】
導入路５０は、集熱板５２の下方に位置する。導入路５０内の空気は、集熱板５２を介して温められる。
【００２７】
傾斜屋根１０には、導入路５０の棟側端部（図１中の上端部）と連通する箇所に、吸入口４を設けている。吸入口４は、建物１内に空気を吸い込むために設けた開口である。建物１に配した図示略のファンを駆動させることで、導入路５０内の空気は、吸入口４を通じて建物１内に導入される。
【００２８】
換言すると、前記ファンを駆動させることで、吸入口４には、導入路５０内の空気を吸入口４内に引き込む風圧が発生する。この風圧によって、導入路５０には、各列の集熱風路３，３…から空気が送り込まれる。導入路５０に送り込まれた空気は、棟側へと順次移動したうえで、吸入口４を通じて建物１内に導入される。
【００２９】
そのため、本実施形態の集熱システムでは、傾斜屋根１０上に配置した多数の機能パネル２，２…の裏面側に空気を流して、太陽光発電パネルである機能パネル２，２…の温度上昇を抑制することができる。加えて、本実施形態の集熱システムでは、機能パネル２，２…の裏面側から効率的に集熱を行って、建物１内に供給することができる。
【００３０】
以下においては、本実施形態の集熱システムで実現される高効率の集熱について、更に詳しく述べる。
【００３１】
各列の集熱風路３において、第一端部３１から導入された外気は、左右方向Ｄ２に移動し、太陽光を浴びて高温となった機能パネル２，２…の裏面側を通過して導入ダクト５ａに近づくにつれて、その温度を上昇させていく。
【００３２】
各列の集熱風路３が有する第二端部３２からは、集熱風路３を通じて温度上昇した空気が、導入路５０内に順次供給される。
【００３３】
導入路５０においては、複数列の集熱風路３，３…が有する第二端部３２，３２…が、軒棟方向Ｄ１に互いに距離を隔てて位置する。
【００３４】
そのため、導入路５０には、軒棟方向Ｄ１に並んだ複数の第二端部３２，３２…から、温められた空気がそれぞれ導入され、これらの空気が導入路５０内を棟側に向けて移動する際に、集熱板５２によって更に加熱される。
【００３５】
導入ダクト５ａでは、導入路５０と屋外空間９の間に断熱層５３を介在させ、導入路５０内で動的平衡に至る温度Ｔ２を、集熱風路３内で動的平衡に至る温度Ｔ１よりも高く設けている。
【００３６】
そのため、集熱風路３を通過させる段階では温度Ｔ１までしか空気を温度上昇させることができないのに対して、その空気を導入路５０に合流させることによって、導入路５０において、温度Ｔ２（＞温度Ｔ１）にまで温度上昇させることが可能となる。
【００３７】
本実施形態の集熱システムでは、複数列の集熱風路３，３…で温度Ｔ１に至るまで集熱を行い、各列で集熱された空気を導入路５０で順次合流させ、更に集熱板５２で加熱し、温度Ｔ２にまで至った段階で吸入口４から空気を取り込むことが可能である。
【００３８】
即ち、本実施形態の集熱システムによれば、傾斜屋根１０上に多数配列した機能パネル２，２…及び導入ダクト部５を用い、複数列の集熱風路３，３…及び導入路５０を通じて空気を移動させることで、効率的に集熱することができる。加えて、太陽光発電パネルである機能パネル２，２…は、前記集熱によって温度上昇が抑えられるので、発電効率の低下が効果的に抑制される。
（第２実施形態）
本発明の第２実施形態の集熱システムについて、図５、図６に基づいて説明する。以下において、前記した第１実施形態と同様の構成については、同一符号を付して詳しい説明を省略する。
【００３９】
図５及び図６には、本実施形態の集熱システムにおいて、軒側から一列目と二列目に備える機能パネル２，２を、概略的に示している。一列目の機能パネル２，２…と傾斜屋根１０の間に位置する集熱風路３では、屋外空間９に連通する第一端部３１を、左右方向Ｄ２の端縁だけでなく、軒側を向く端縁にも形成している。
【００４０】
具体的には、一列目の機能パネル２，２…のうち、導入ダクト５ａから最も離れた機能パネル２において、その機能パネル２と傾斜屋根１０の間に位置する空気層３０を、左右方向Ｄ２の外側に向けて開口させ、且つ、軒棟方向Ｄ１の軒側に向けて開口させている。この開口部分が、集熱風路３を屋外空間９に連通させる第一端部３１である。
【００４１】
本実施形態の集熱システムにおいても、第１実施形態の場合と同様に、傾斜屋根１０上に多数配列した機能パネル２，２…と導入ダクト部５から、複数列の集熱風路３，３…及び導入路５０を通じて、効率的に集熱を行うことができる。加えて、太陽光発電パネルである機能パネル２，２…の温度上昇を抑え、発電効率の低下を効果的に抑制することができる。
（第３実施形態）
本発明の第３実施形態の集熱システムについて、図７に基づいて説明する。
【００４２】
以下において、前記した第１実施形態と同様の構成については、同一符号を付して詳しい説明を省略する。
【００４３】
本実施形態の集熱システムは、第１実施形態の集熱システムと比較して、機能パネル２，２…や導入ダクト部５の配置（即ち、集熱風路３，３…や導入路５０の配置）が相違する。
【００４４】
本実施形態の集熱システムでは、傾斜屋根１０上に配置される導入ダクト５ａと導入ダクト５ｂで、導入ダクト部５を形成している。一対の導入ダクト５ａ，５ｂは、左右方向Ｄ２に互いに距離をあけて位置する。
【００４５】
導入ダクト５ａは、傾斜屋根１０のうち左右方向Ｄ２の一方の端縁近傍に位置する。導入ダクト５ｂは、傾斜屋根１０のうち左右方向Ｄ２の他方の端縁近傍に位置する。
【００４６】
導入ダクト５ｂは、導入ダクト５ａと同様の構成を備える。即ち、一対の導入ダクト５ａ，５ｂは共に、実施形態１と同様の導入路５０、透光パネル５１、集熱板５２及び断熱層５３を有する。
【００４７】
傾斜屋根１０には、導入ダクト５ａと連通する箇所に吸入口４が位置し、且つ、導入ダクト５ｂと連通する箇所に他の吸入口４が位置する。
【００４８】
本実施形態の集熱風路３，３…は、軒棟方向Ｄ１に複数列の第一集熱風路３ａ，３ａ…と、同じく軒棟方向Ｄ１に複数列の第二集熱風路３ｂ，３ｂ…とに分けられる。
【００４９】
複数列の第一集熱風路３ａ，３ａ…は、傾斜屋根１０のうち左右方向Ｄ２の一方の半部（図７の左半部）に位置する。複数列の第一集熱風路３ａ，３ａ…は、導入ダクト５ａが有する導入路５０に対して、それぞれの第二端部３２が連通する。複数列の第二集熱風路３ｂ，３ｂ…は、傾斜屋根１０のうち左右方向Ｄ２の他方の半部（図７の右半部）に位置する。複数列の第二集熱風路３ｂ，３ｂ…は、導入ダクト５ｂが有する導入路５０に対して、それぞれの第二端部３２が連通する。
【００５０】
本実施形態の傾斜屋根１０上において、複数列の第一集熱風路３ａ，３ａ…と、複数列の第二集熱風路３ｂ，３ｂ…とは、一対の導入ダクト５ａ，５ｂに挟まれて位置する。
【００５１】
本実施形態の集熱システムにおいても、複数列の第一集熱風路３ａ，３ａ…と導入ダクト５ａの導入路５０を通じて効率的に集熱を行い、且つ、複数列の第二集熱風路３ｂ，３ｂ…と導入ダクト５ｂの導入路５０を通じて効率的に集熱を行うことができる。加えて、太陽光発電パネルである機能パネル２，２…の温度上昇を抑え、発電効率の低下を効果的に抑制することができる。
（第４実施形態）
本発明の第４実施形態の集熱システムについて、図８に基づいて説明する。
【００５２】
以下において、前記した第１実施形態と同様の構成については、同一符号を付して詳しい説明を省略する。
【００５３】
本実施形態の集熱システムは、第１実施形態の集熱システムと比較して、機能パネル２，２…や導入ダクト部５の配置（即ち、集熱風路３，３…や導入路５０の配置）が相違する。
【００５４】
第１実施形態の集熱システムでは、導入路５０に連通する複数列の集熱風路３，３…が、導入路５０に対して左右方向Ｄ２の片側（図１中の右側）に位置している。これに対して、本実施形態の集熱システムでは、導入路５０に連通する複数列の集熱風路３，３…が、導入路５０を挟んで左右方向Ｄ２の両側に位置する。
【００５５】
具体的には、建物１が有する傾斜屋根１０のうち左右方向Ｄ２の中央部分に、軒棟方向Ｄ１に長い導入ダクト５ａが位置する。
【００５６】
傾斜屋根１０のうち、導入ダクト５ａの左側の部分には、軒棟方向Ｄ１と左右方向Ｄ２に沿った５×２の配置で、機能パネル２，２…が位置する。軒棟方向Ｄ１の各列において、一対の機能パネル２，２が左右方向Ｄ２に隣接して位置する。
【００５７】
各列の機能パネル２，２の下方には、集熱風路３が位置する。傾斜屋根１０の左側の領域に位置する各列の集熱風路３，３…は、中央に位置する導入ダクト５ａの導入路５０に対して、それぞれ連通接続される。
【００５８】
傾斜屋根１０のうち、導入ダクト５ａの右側の部分においても、軒棟方向Ｄ１と左右方向Ｄ２に沿った５×２の配置で、機能パネル２，２…が位置する。軒棟方向Ｄ１の各列において、一対の機能パネル２，２が左右方向Ｄ２に隣接して位置する。
【００５９】
各列の機能パネル２，２の下方には、集熱風路３が位置する。傾斜屋根１０の右側の領域に位置する各列の集熱風路３，３…は、中央に位置する導入ダクト５ａの導入路５０に対して、それぞれ連通接続される。
【００６０】
本実施形態の集熱システムにおいても、第１実施形態の場合と同様に、傾斜屋根１０に配した左側及び右側の集熱風路３，３…と中央の導入路５０を通じて、効率的に集熱を行うことができる。加えて、太陽光発電パネルである機能パネル２，２…の温度上昇を抑え、発電効率の低下を効果的に抑制することができる。
（第５実施形態）
本発明の第５実施形態の集熱システムについて、図９に基づいて説明する。
【００６１】
以下において、前記した第１実施形態と同様の構成については、同一符号を付して詳しい説明を省略する。
【００６２】
本実施形態の集熱システムは、第１実施形態の集熱システムと比較して、傾斜屋根１０の形態が相違し、これに伴って、機能パネル２，２…と導入ダクト部５の配置（即ち、集熱風路３，３…と導入路５０の配置）が相違する。
【００６３】
本実施形態の傾斜屋根１０は、寄棟屋根に含まれる台形の屋根である。本実施形態の傾斜屋根１０においても、左右方向Ｄ２の一方の端縁に沿って導入ダクト５ａを配置し、導入ダクト５ａが有する導入路５０と連通するように、複数列の集熱風路３，３…を形成することができる。
【００６４】
本実施形態の場合、複数列の集熱風路３，３…の左右方向Ｄ２の長さを、互いに相違させている。具体的には、軒棟方向Ｄ１に隣接する集熱風路３，３同士の左右方向Ｄ２の長さを比べたとき、棟側に位置する集熱風路３の左右方向Ｄ２の長さが、軒側に位置する集熱風路３の左右方向Ｄ２の長さよりも、短い寸法となるように設けている。
【００６５】
本実施形態において、最も軒側の集熱風路３では経路を一直線状に設けているが、他の集熱風路３，３では、クランク状に曲がる部分を経路中に設けている。これにより、複数の集熱風路３，３…において、全体の経路長さは略同一となっている。
【００６６】
本実施形態の集熱システムにおいても、複数列の集熱風路３，３…と導入ダクト５ａの導入路５０を通じて効率的に集熱を行い、更に、太陽光発電パネルである機能パネル２，２…の温度上昇を抑え、発電効率の低下を効果的に抑制することができる。
（第６実施形態）
本発明の第６実施形態の集熱システムについて、図１０に基づいて説明する。
【００６７】
以下において、前記した第５実施形態と同様の構成については、同一符号を付して詳しい説明を省略する。
【００６８】
本実施形態の集熱システムでは、傾斜屋根１０の上方に配置される複数の機能パネル２，２…が、軒棟方向Ｄ１に沿って千鳥状に位置する。第５実施形態においては、複数の機能パネル２，２…を、軒棟方向Ｄ１に沿って一直線状に並設していたが、本実施形態のように千鳥状に（互い違いに）並設することも可能である。
【００６９】
本実施形態の集熱システムにおいても、複数列の集熱風路３，３…と導入ダクト５ａの導入路５０を通じて効率的に集熱を行い、更に、太陽光発電パネルである機能パネル２，２…の温度上昇を抑え、発電効率の低下を効果的に抑制することができる。
【００７０】
以上、本発明の第１〜第６実施形態の集熱システムについて説明した。
【００７１】
前記したように、本発明の第１〜第６実施形態の集熱システムは、建物１が有する傾斜屋根１０の上方に配置された複数の機能パネル２，２…と、軒棟方向Ｄ１に複数列の集熱風路３，３…と、傾斜屋根１０上に位置する吸入口４と、導入ダクト部５とを具備する。複数列の集熱風路３，３…は、傾斜屋根１０と複数の機能パネル２，２…との間に形成される。導入ダクト部５は、傾斜屋根１０の上方に配置される。導入ダクト部５は、吸入口４に連通する導入路５０を有する。複数列の集熱風路３，３…の各々は、建物１の屋外空間９に連通する第一端部３１と、導入路５０に連通する第二端部３２とを有する。これにより、本発明の第１〜第６実施形態の集熱システムは、吸入口４を通じて、導入路５０の空気を棟側に移動させて吸引するように構成している。
【００７２】
第１〜第６実施形態の集熱システムでは、軒棟方向Ｄ１に複数列ある集熱風路３，３…内に、第一端部３１，３１，…を通じて屋外空間９から空気（外気）が導入される。屋外空間９から導入された空気は、複数列の集熱風路３，３…内をそれぞれ左右方向Ｄ２に移動しながら温められる。複数列の集熱風路３，３…内を移動しながら温度上昇した空気は、導入ダクト部５の導入路５０内に順次合流し、導入路５０内で合流して高温となった空気は、棟側に向けて移動した後に、吸入口４から吸引される。
【００７３】
そのため、第１〜第６実施形態の集熱システムによれば、吸入口４を多数設けずとも、傾斜屋根１０全体からの集熱を、効率的に行うことができる。
【００７４】
また、本発明の第１〜第６実施形態の集熱システムにおいて、導入ダクト部５は、天板をなす透光パネル５１と、透光パネル５１の下方に位置する集熱板５２とを更に有し、集熱板５２を介して、導入路５０内の空気の温度を上昇させるように構成している。
【００７５】
そのため、第１〜第６実施形態の集熱システムでは、複数列の集熱風路３，３…内で温度上昇させた空気を、導入路５０を移動して吸入口４に至るまでの間に、更に温度上昇させることができる。これにより、傾斜屋根１０全体からの集熱を、更に効率的に行うことが可能となる。
【００７６】
また、本発明の第１〜第６実施形態の集熱システムにおいて、導入ダクト部５は、導入路５０と屋外空間９との間に位置する断熱層５３を、更に有する。
【００７７】
そのため、第１〜第６実施形態の集熱システムでは、導入路５０内を移動中に動的平衡に至る温度Ｔ２を、集熱風路３内を移動中に動的平衡に至る温度Ｔ１よりも、高い温度に設けることができる。したがって、集熱風路３を通過する段階では温度Ｔ１までしか至らなかった空気を、合流した導入路５０では、温度Ｔ２にまで上昇させることが可能となる。これにより、傾斜屋根１０全体からの集熱を、更に効率的に行うことが可能となる。
【００７８】
また、本発明の第１〜第６実施形態の集熱システムにおいて、機能パネル２，２…は、太陽光発電パネルである。
【００７９】
そのため、第１〜第６実施形態の集熱システムでは、傾斜屋根１０からの効率的な集熱が実現されることに加えて、太陽電池パネルである機能パネル２，２…の温度上昇を抑え、発電効率の低下を効果的に抑制することができる。
【００８０】
また、本発明の第３実施形態の集熱システムにおいて、導入ダクト部５は、左右方向Ｄ２に互いに距離をあけて位置する一対の導入ダクト５ａ，５ｂを含む。一対の導入ダクト５ａ，５ｂは、それぞれが導入路５０を有する。複数列の集熱風路３，３…は、複数列の第一集熱風路３ａ，３ａ…と、複数列の第二集熱風路３ｂ，３ｂ…とを含む。複数列の第一集熱風路３ａ，３ａ…は、一対の導入ダクト５ａ，５ｂのうち一方の導入ダクト５ａが有する導入路５０に連通する。複数列の第二集熱風路３ｂ，３ｂ…は、一対の導入ダクト５ａ，５ｂのうち他方の導入ダクト５ｂが有する導入路５０に連通する。複数列の第一集熱風路３ａ，３ａ…と、複数列の第二集熱風路３ｂ，３ｂ…とは、一対の導入ダクト５ａ，５ｂに挟まれて位置する。
【００８１】
第３実施形態の集熱システムでは、複数列の第一集熱風路３ａ，３ａ…から、隣接する導入ダクト５ａに向けて、空気を温めながら移動させてゆき、導入ダクト５ａの導入路５０内で合流させる。複数列の第二集熱風路３ｂ，３ｂ…からは、隣接する導入ダクト５ｂに向けて、空気を温めながら移動させてゆき、導入ダクト５ｂの導入路５０内で合流させる。
【００８２】
そのため、傾斜屋根１０を大面積で覆うように多数の機能パネル２，２…を配置し、これら多数の機能パネル２，２…の下方に第一集熱風路３ａや第二集熱風路３ｂを形成したうえで、第一集熱風路３ａや第二集熱風路３ｂの経路長さを抑えることができる。
【００８３】
ここで、第一集熱風路３ａや第二集熱風路３ｂの経路長さが大きい場合には、空気が移動する途中で動的平衡に至りやすくなる。動的平衡に至れば、それ以降は温度が上昇し難くなり、集熱が困難となる。これに対して、第３実施形態の集熱システムでは、第一集熱風路３ａや第二集熱風路３ｂの経路長さを抑えることで、第一集熱風路３ａや第二集熱風路３ｂを移動する途中で空気が動的平衡に至ることを、抑制することができる。その結果として、第３実施形態の集熱システムでは、傾斜屋根１０全体から効率的に集熱を行うことが可能となっている。
【００８４】
また、本発明の第４実施形態の集熱システムにおいて、導入路５０に連通する複数列の集熱風路３，３…は、導入路５０を挟んで左右方向Ｄ２の両側に位置する。
【００８５】
そのため、第４実施形態の集熱システムでは、導入ダクト部５を挟んで両側に位置する複数列の集熱風路３，３…から、中央の導入ダクト部５に向けて、空気を温めながら移動させてゆき、導入路５０内で合流させることができる。左右に位置する各列の集熱風路３においては、空気が移動する左右方向Ｄ２の経路長さを抑えることができる。集熱風路３の経路長さを抑えることで、第３実施形態に関して述べたように、移動途中で空気が動的平衡に至ることを抑制することができ、その結果として、傾斜屋根１０全体から効率的に集熱を行うことが可能となっている。しかも、本実施形態の集熱システムでは、傾斜屋根１０上に設置する吸入口４の数を、抑えることができる（図８参照）。
【００８６】
以上、本発明を添付図面に示す実施形態に基づいて説明したが、本発明は前記各例の実施形態に限定されない。本発明の意図する範囲内であれば、各例において適宜の設計変更を行うことや、各例の構成を適宜組み合わせて適用することが可能である。
【符号の説明】
【００８７】
１    建物
１０  傾斜屋根
２    機能パネル
３    集熱風路
３ａ  第一集熱風路
３ｂ  第二集熱風路
３１  第一端部
３２  第二端部
４    吸入口
５    導入ダクト部
５ａ  導入ダクト
５ｂ  導入ダクト
５０  導入路
５１  透光パネル
５２  集熱板
５３  断熱層
９    屋外空間
Ｄ１  軒棟方向
Ｄ２  左右方向
【図１】
2016011565.tif 000003
【図２】
2016011565.tif 000004
【図３】
2016011565.tif 000005
【図４】
2016011565.tif 000006
【図５】
2016011565.tif 000007
【図６】
2016011565.tif 000008
【図７】
2016011565.tif 000009
【図８】
2016011565.tif 000010
【図９】
2016011565.tif 000011
【図１０】
2016011565.tif 000012